(57)【要約】【課題】画像読み取りにおける原稿の地色の検知精度を向上させる。【解決手段】画像読み取り装置は、搬送される原稿１の表面画像を読み取るＣＣＤイメージセンサおよびこの原稿１の裏面画像を読み取るラインセンサを備える。原稿１の搬送読み取りを行うに際して、ＣＣＤイメージセンサによって読み取られた表面画像データの一部である表面地色レベルＬＡとラインセンサによって読み取られた裏面画像データの一部である裏面地色レベルＬＢとを用いてこの原稿１の地色レベルを決定し、表面画像データおよび裏面画像データに対する地色除去を実行する。そして、表面地色レベルＬＡの取得領域と裏面地色レベルＬＢの取得領域とを原稿１の表裏面でずらすことにより、パンチ孔等による影響を低減する。【選択図】図６
2008252785.tif 000002
【特許請求の範囲】
【請求項１】
原稿の第１面および第２面を読み取る読み取り手段と、
前記読み取り手段による前記原稿の前記第１面の読み取り結果および当該原稿の前記第２面の読み取り結果を用いて当該原稿の地色を決定する地色決定手段と、
前記読み取り手段により前記原稿の前記第１面を読み取って得られた第１画像データから、前記地色決定手段により決定された前記地色を除去する地色除去手段と
を含む画像読み取り装置。
【請求項２】
前記地色決定手段は、前記原稿の前記第１面における所定の第１領域の読み取り結果と、当該原稿の前記第２面における前記第１領域の裏面側以外の第２領域の読み取り結果とを用いて、当該原稿の地色を決定することを特徴とする請求項１記載の画像読み取り装置。
【請求項３】
前記地色除去手段は、さらに、前記読み取り手段により前記原稿の前記第２面を読み取って得られた第２画像データから、前記地色決定手段により決定された前記地色を除去することを特徴とする請求項１記載の画像読み取り装置。
【請求項４】
搬送される原稿の第１面の画像を読み取って第１画像データを出力する第１読み取り手段と、
前記第１読み取り手段により前記原稿の第１面の画像を読み取る際に当該原稿を反転させずに当該原稿の第２面の画像を読み取って第２画像データを出力する第２読み取り手段と、
前記第１読み取り手段より入力される前記第１画像データおよび前記第２読み取り手段より入力される前記第２画像データに基づいて前記原稿の地色を決定する地色決定手段と、
前記第１読み取り手段より入力される前記第１画像データから前記地色決定手段により決定された前記地色を除去し、且つ、前記第２読み取り手段より入力される前記第２画像データから当該地色を除去する除去手段と
を含む画像読み取り装置。
【請求項５】
前記地色決定手段は、前記第１画像データの一部を構成する第１データと、前記第２画像データの一部を構成し且つ当該第１データとは原稿上での読み取り対象領域が異なる第２データとを用いて、当該原稿の地色を決定することを特徴とする請求項４記載の画像読み取り装置。
【請求項６】
原稿の第１面の一部領域の読み取り結果から当該第１面の地色に関する第１データを取得する第１取得手段と、
前記原稿の第２面の一部領域の読み取り結果から当該第２面の地色に関する第２データを取得する第２取得手段と、
前記第１取得手段で取得された前記第１データおよび前記第２取得手段で取得された前記第２データに基づいて前記原稿の地色を決定する地色決定手段と、
前記地色決定手段で決定された前記原稿の地色を用いて、前記原稿の第１面を読み取って得られた第１画像データに地色除去処理を施す地色除去手段と
を含む画像処理装置。
【請求項７】
前記原稿の前記第１面の一部領域と当該原稿の前記第２面の一部領域とが当該第１面と当該第２面とで重ならないことを特徴とする請求項６記載の画像処理装置。
【請求項８】
前記地色除去手段は、前記地色決定手段で決定された前記原稿の地色を用いて、さらに、当該原稿の第２面を読み取って得られた第２画像データに地色除去処理を施すことを特徴とする請求項６記載の画像処理装置。
【発明の詳細な説明】
【技術分野】
【０００１】
本発明は、原稿の画像を読み取る画像読み取り装置等に関する。
【背景技術】
【０００２】
複写機やファクシミリ等の画像読み取り装置では、白地の原稿だけでなく、例えば新聞や色紙等、様々な下地濃度を持った原稿が読み取り対象とされている。このため、原稿を予備読み取りして得た画像データに基づいて原稿の地色（下地）を検知し、その後原稿を本読み取りして得た画像データから地色を除去して出力する技術が存在する(特許文献１参照。)。また、この特許文献１には、ユーザの要求に応じて、原稿面の全領域を読み取って得た画像データから地色の検知を行う場合と、原稿面の一部領域を読み取って得た画像データから地色の検知を行う場合とを切り替えることが記載されている。
【０００３】
【特許文献１】特開２００５−１２３６８３号公報
【発明の開示】
【発明が解決しようとする課題】
【０００４】
本発明は、上述した技術を背景としてなされたものであり、その目的とするところは、画像読み取りにおける原稿の地色の検知精度を向上させることにある。
【課題を解決するための手段】
【０００５】
かかる目的のもと、本発明が適用される画像読み取り装置は、原稿の第１面および第２面を読み取る読み取り手段と、前記読み取り手段による前記原稿の前記第１面の読み取り結果および当該原稿の前記第２面の読み取り結果を用いて当該原稿の地色を決定する地色決定手段と、前記読み取り手段により前記原稿の前記第１面を読み取って得られた第１画像データから、前記地色決定手段により決定された前記地色を除去する地色除去手段とを含んでいる。
【０００６】
このような画像読み取り装置において、前記地色決定手段は、前記原稿の前記第１面における所定の第１領域の読み取り結果と、当該原稿の前記第２面における前記第１領域の裏面側以外の第２領域の読み取り結果とを用いて、当該原稿の地色を決定することを特徴とすることができる。また、前記地色除去手段は、さらに、前記読み取り手段により前記原稿の前記第２面を読み取って得られた第２画像データから、前記地色決定手段により決定された前記地色を除去することを特徴とすることができる。
【０００７】
また、他の観点から捉えると、本発明が適用される画像読み取り装置は、搬送される原稿の第１面の画像を読み取って第１画像データを出力する第１読み取り手段と、前記第１読み取り手段により前記原稿の第１面の画像を読み取る際に当該原稿を反転させずに当該原稿の第２面の画像を読み取って第２画像データを出力する第２読み取り手段と、前記第１読み取り手段より入力される前記第１画像データおよび前記第２読み取り手段より入力される前記第２画像データに基づいて前記原稿の地色を決定する地色決定手段と、前記第１読み取り手段より入力される前記第１画像データから前記地色決定手段により決定された前記地色を除去し、且つ、前記第２読み取り手段より入力される前記第２画像データから当該地色を除去する地色除去手段とを含んでいる。
【０００８】
このような画像読み取り装置において、前記地色決定手段は、前記第１画像データの一部を構成する第１データと、前記第２画像データの一部を構成し且つ当該第１データとは原稿上での読み取り対象領域が異なる第２データとを用いて、当該原稿の地色を決定することを特徴とすることができる。
【０００９】
さらに、他の観点から捉えると、本発明が適用される画像処理装置は、原稿の第１面の一部領域の読み取り結果から当該第１面の地色に関する第１データを取得する第１取得手段と、前記原稿の第２面の一部領域の読み取り結果から当該第２面の地色に関する第２データを取得する第２取得手段と、前記第１取得手段で取得された前記第１データおよび前記第２取得手段で取得された前記第２データに基づいて前記原稿の地色を決定する地色決定手段と、前記地色決定手段で決定された前記原稿の地色を用いて、前記原稿の第１面を読み取って得られた第１画像データに地色除去処理を施す地色除去手段とを含んでいる。
【００１０】
このような画像処理装置において、前記原稿の前記第１面の一部領域と当該原稿の前記第２面の一部領域とが当該第１面と当該第２面とで重ならないことを特徴とすることができる。また、前記地色除去手段は、前記地色決定手段で決定された前記原稿の地色を用いて、さらに、当該原稿の第２面を読み取って得られた第２画像データに地色除去処理を施すことを特徴とすることができる。
【発明の効果】
【００１１】
請求項１記載の発明によれば、本発明の構成を有しない場合と比較して、画像読み取りにおける原稿の地色の検知精度を向上させることができる。
請求項２記載の発明によれば、原稿にパンチ孔等が形成されている場合であっても、画像読み取りにおける原稿の地色の検知精度を向上させることができる。
請求項３記載の発明によれば、原稿の両面を読み取って得られた各画像データにおいて地色の影響をより低減することができる。
請求項４記載の発明によれば、本発明の構成を有しない場合と比較して、両面画像読み取りにおける原稿の地色の検知精度を向上させることができる。
請求項５記載の発明によれば、原稿にパンチ孔等が形成されている場合であっても、画像読み取りにおける原稿の地色の検知精度を向上させることができる。
請求項６記載の発明によれば、本発明の構成を有しない場合と比較して、画像読み取りにおける原稿の地色の検知精度を向上させることができる。
請求項７記載の発明によれば、原稿にパンチ孔等が形成されている場合であっても、例えば画像読み取りにおける原稿の地色の検知精度を向上させることができる。
請求項８記載の発明によれば、原稿の両面を読み取って得られた各画像データにおいて地色の影響をより低減することができる。
【発明を実施するための最良の形態】
【００１２】
以下、添付図面を参照して、本発明を実施するための最良の形態（以下、「実施の形態」という）について説明する。
＜実施の形態１＞
図１は、本実施の形態が適用される画像読み取り装置の全体構成を示す図である。この画像読み取り装置は、積載された原稿束から原稿１を順次搬送する原稿送り装置１０と、スキャンによって画像を読み込むスキャナ装置７０とを備えている。
【００１３】
原稿送り装置１０は、複数枚の原稿１からなる原稿束を積載する原稿収容部１１、この原稿収容部１１の下方に設けられ読み取りが終了した原稿１を積載する排紙収容部１２を備える。本実施の形態では、原稿収容部１１に積載される原稿１の第１面（以下、表面という）が上に向くようにセットされる。また、原稿送り装置１０は、原稿収容部１１から原稿１を取り出して搬送する繰出しロール１３を備える。さらに、繰出しロール１３の原稿搬送方向下流側には、原稿１を１枚ずつに捌く捌き機構１４が設けられる。この捌き機構１４は、繰出しロール１３により供給される原稿１をさらに下流側に向けて搬送するフィードロール１４ａ、繰出しロール１３により供給される原稿１を１枚ずつに捌くリタードロール１４ｂを有する。原稿１が搬送される搬送路１５には、原稿搬送方向上流側から順に、レジロール１６、搬送ロール１７、プラテンロール１８、アウトロール１９、および排出ロール２０が設けられる。レジロール１６は、回転し一旦停止した後にタイミングを合わせて回転を再開し、後述する原稿読み取り系に対してレジストレーション調整を施しながら原稿１を供給する。搬送ロール１７は、搬送される原稿１をプラテンロール１８に向けさらに搬送する。プラテンロール１８は、スキャナ装置７０にて読み込み中の原稿搬送をアシストする。アウトロール１９は、スキャナ装置７０にて読み込まれた原稿１をさらに下流に搬送する。そして、排出ロール２０は、読み込まれた原稿１をさらに搬送するとともに排紙収容部１２に排出する。
【００１４】
さらに、図１に示すように、原稿送り装置１０のレジロール１６と搬送ロール１７との間にはＣＩＳ（Contact Image Sensor）５０が設けられている。ＣＩＳ５０は、図示しない光源およびレンズと、第２読み取り手段として機能するラインセンサ５５とを備えている。
ＣＩＳ５０は、搬送路１５の内側に設けられているため、原稿１の第２面（以下、裏面という）の画像を読み取ることができる。ラインセンサ５５として、ＣＣＤやＣＭＯＳセンサ、密着型センサ等を用いることができ、実寸幅（例えばＡ４長手幅２９７ｍｍ）の画像を読み取ることが可能である。
【００１５】
スキャナ装置７０は、上述した原稿送り装置１０を開閉可能に支持するとともに、この原稿送り装置１０を装置フレーム７１によって支え、また、原稿送り装置１０によって搬送される原稿１の表面の画像読み取りを行っている。スキャナ装置７０は、搬送路１５の外側に設けられているため、原稿１の第１面を読み取ることができる。また、このスキャナ装置７０は、筐体を形成する装置フレーム７１、画像を読み込むべき原稿１を静止した状態で載せておく第１プラテンガラス７２Ａ、原稿送り装置１０によって搬送される原稿１を読み取るための光の開口部を有する第２プラテンガラス７２Ｂを備えている。
【００１６】
また、スキャナ装置７０は、第２プラテンガラス７２Ｂの下に静止し、あるいは第１プラテンガラス７２Ａの全体にわたってスキャンして画像を読み込むフルレートキャリッジ７３、フルレートキャリッジ７３から得られた光を結像部へ供給するハーフレートキャリッジ７５を備えている。フルレートキャリッジ７３には、原稿１に光を照射する照明ランプ７４、原稿１から得られた反射光を受光する第１ミラー７６Ａが設けられている。さらに、ハーフレートキャリッジ７５には、第１ミラー７６Ａから得られた光を結像部へ提供する第２ミラー７６Ｂおよび第３ミラー７６Ｃが設けられている。また、スキャナ装置７０は、第１読み取り手段として機能するＣＣＤ(Charge Coupled Device)イメージセンサ７８と結像用レンズ７７を備えている。これらのうち、結像用レンズ７７は、第３ミラー７６Ｃから得られた光学像を光学的に縮小する。そして、第１の読み取り手段として機能するＣＣＤイメージセンサ７８は、結像用レンズ７７によって結像された光学像を光電変換する。つまり、スキャナ装置７０では、所謂縮小光学系を用いてＣＣＤイメージセンサ７８に像を結像させている。
【００１７】
スキャナ装置７０は、制御部７９と画像処理部８０とをさらに備える。制御部７９は、画像読み取り動作における各部の動作を制御する。画像処理部８０は、読み取られた画像データの処理を行う。これらの機能はプログラムにより制御されたＣＰＵ等によって実現される。制御部７９は、上述した原稿送り装置１０およびスキャナ装置７０の動作の制御を行う。制御部７９は、原稿送り装置１０におけるモータの制御、各種ロール動作、フィードクラッチの動作等を制御する。また、制御部７９は、ラインセンサ５５による画像データの取り込み動作やＣＣＤイメージセンサ７８による画像データの取り込み動作等を制御する。画像処理部８０は、ＣＣＤイメージセンサ７８およびラインセンサ５５によって読み取った原稿１の画像データを受け取り、出力対象となる後段の機器へと出力する。出力対象となる後段の機器としては、例えばプリンタ等やパーソナルコンピュータ（ＰＣ）等のホストシステム等が挙げられる。
【００１８】
この原稿読み取り装置は、第１プラテンガラス７２Ａの上に原稿１を固定して読み取る固定読み取りモード、および、原稿送り装置１０を用いて原稿１を搬送しながら読み取る搬送読み取りモードで動作する。また、この原稿読み取り装置は、搬送読み取りモードにおいて、ＣＣＤイメージセンサ７８を用いて原稿１の表面に形成された画像を読み取る片面読み取りモード、および、ＣＣＤイメージセンサ７８およびラインセンサ５５を用いて原稿１の両面に形成された画像を読み取る両面同時読み取りモードで動作する。したがって、本実施の形態では、これらＣＣＤイメージセンサ７８およびラインセンサ５５が読み取り手段として機能している。
【００１９】
まず、固定読み取りモードにおける原稿の画像読み取りについて説明する。
固定読み取りモードの場合、原稿１は、第１プラテンガラス７２Ａの上に被読み取り面が下となるように固定してセットされる。読み取りが開始されると、フルレートキャリッジ７３とハーフレートキャリッジ７５とが、２：１の割合でスキャン方向（矢印方向）に移動する。このとき、フルレートキャリッジ７３の照明ランプ７４の光が原稿１の被読み取り面に照射される。そして、原稿１からの反射光が第１ミラー７６Ａ、第２ミラー７６Ｂ、および第３ミラー７６Ｃの順に反射され結像用レンズ７７に導かれる。結像用レンズ７７に導かれた光は、ＣＣＤイメージセンサ７８の受光面に結像される。ＣＣＤイメージセンサ７８は、１次元のセンサであり、１ライン分を同時に処理している。このライン方向（スキャンの副走査方向）にフルレートキャリッジ７３およびハーフレートキャリッジ７５を移動させ、原稿１の次のラインを読み取る。これを原稿全体にわたって実行することで、１ページの原稿読み取りを完了させる。
【００２０】
次に、搬送読み取りモードにおける原稿１の画像読み取りについて説明する。
最初に、片面読み取りモードにおける原稿１の画像読み取りを説明する。
原稿収容部１１から搬送路１５を搬送されてきた原稿１が第２プラテンガラス７２Ｂの上を通過するとき、フルレートキャリッジ７３およびハーフレートキャリッジ７５は、図１に示す実線の位置に停止した状態におかれる。そして、原稿送り装置１０のプラテンロール１８を経た原稿１の１ライン目の反射光が、第１ミラー７６Ａ、第２ミラー７６Ｂ、および第３ミラー７６Ｃを経て結像用レンズ７７にて結像され、ＣＣＤイメージセンサ７８によって主走査方向の１ライン分を同時に処理した後、原稿送り装置１０によって搬送される原稿１の次の主走査方向の１ラインが読み込まれる。原稿１の先端が第２プラテンガラス７２Ｂの読み取り位置に到達した後、この原稿１の後端が第２プラテンガラス７２Ｂの読み取り位置を通過することによって、副走査方向にわたって１ページの原稿読み取りが完了する。
【００２１】
次に、両面同時読み取りモードにおける原稿１の画像読み取りを説明する。
両面同時読み取りモードでは、フルレートキャリッジ７３とハーフレートキャリッジ７５とを図１に示す実線の位置に停止させ、第２プラテンガラス７２Ｂを介してＣＣＤイメージセンサ７８により原稿１の表面の読み取りを行い、ラインセンサ５５によって原稿１の裏面（第２面）の読み取りを行う。このとき、原稿１の表面（第１面）は、上述した片面読み取りモードと同様のプロセスで、ＣＣＤイメージセンサ７８による読み取りが行われる。一方、原稿１の裏面は、次のようにしてＣＩＳ５０による読み取りが行われる。ＣＩＳ５０では、先ず光源が原稿１の裏面に光を照射する。レンズは、原稿１の裏面に照射した光の反射光を集光する。そして、ラインセンサ５５は、レンズによって集光された光を読み取る。以上のように、ラインセンサ５５によって主走査方向の１ライン分を同時に処理した後、原稿送り装置１０によって搬送される原稿１の次の主走査方向の１ラインが読み込まれる。原稿１の先端がＣＩＳ５０の読み取り位置に到達した後、この原稿１の後端がＣＩＳ５０の読み取り位置を通過することによって、副走査方向にわたって１ページの原稿読み取りが完了する。なお、両面同時読み取りにおける「同時」とは時間の完全な一致ではなく、ここでは同一の原稿搬送時程度の意味として定義される。
【００２２】
本実施の形態では、図１に示すように、ＣＣＤイメージセンサ７８による原稿１の表面の読み取り位置に対し、ラインセンサ５５による原稿１の裏面の読み取り位置を原稿搬送方向（副走査方向）の上流側にずらして設けている。よって、両面同時読み取りモードの場合、原稿収容部１１から１枚ずつ所定のタイミングで供給された原稿１は、まずラインセンサ５５によって裏面が読み取られ、次にＣＣＤイメージセンサ７８によって表面が読み取られることになる。このようにして、原稿収容部１１に積載された複数の原稿１は、それぞれ原稿１の裏面、表面の順で画像が読み取られる。なお、原稿収容部１１に原稿が１枚のみセットされた場合には、画像の読み取りは表裏面の各々１回ずつ行われる。
【００２３】
この画像読み取り装置は、原稿の背景色すなわち地色が白色以外であった場合に、原稿を読み取ることによって得られた画像データから原稿の地色成分を除去する構成を備えている。そして、この画像読み取り装置では、搬送読み取りモードで動作を行う際に、読み取り対象となる原稿の一方の面の画像データおよびこの一方の面の裏側となる原稿の他方の面の画像データに基づいて、この原稿の地色の決定を行っている。以下、この処理について詳細に説明する。
【００２４】
図２は、画像処理装置として機能する画像処理部８０の構成の一部を示している。この画像処理部８０は、記憶部８１、第１地色レベル検知部８２、第２地色レベル検知部８３、地色除去レベル決定部８４、選択部８５、および地色除去部８６を備えている。
これらのうち、記憶部８１は、ラインセンサ５５によって読み取られた原稿１の裏面の画像データ（第２画像データ：以下、裏面画像データと呼ぶ）を一時的に記憶する。
第１取得手段として機能する第１地色レベル検知部８２は、ＣＣＤイメージセンサ７８によって読み取られた原稿１の表面の画像データ（第１画像データ：以下、表面画像データと呼ぶ）に基づき、原稿１の表面の地色レベル（以下、表面地色レベルと呼ぶ）を検知する。
第２取得手段として機能する第２地色レベル検知部８３は、ラインセンサ５５によって読み取られ記憶部８１に記憶されている裏面画像データに基づき、原稿１の裏面の地色レベル（以下、裏面地色レベルと呼ぶ）を検知する。
地色決定手段として機能する地色除去レベル決定部８４は、第１地色レベル検知部８２で検知された表面地色レベルおよび第２地色レベル検知部８３で検知された裏面地色レベルの両者に基づき、原稿１の地色レベルを決定する。
選択部８５は、ＣＣＤイメージセンサ７８から入力される表面画像データあるいは記憶部８１に記憶される裏面画像データを、地色除去部８６に向けて選択的に出力する。
地色除去手段として機能する地色除去部８６は、選択部８５から入力されてくる表面画像データあるいは裏面画像データに、地色除去レベル決定部８４で決定された原稿１の地色レベルを用いて地色除去処理を施し、出力画像データとして後段に出力する。
【００２５】
図３は、図２に示す地色除去レベル決定部８４の詳細なブロック図を示している。
地色除去レベル決定部８４は、第１保持部９１、第２保持部９２、地色レベル比較部９３、最大値選択部９４、比較ライン設定部９５、オフセット値設定部９６、加算部９７、および出力値選択部９８を備える。
第１保持部９１は、第１地色レベル検知部８２にて検知された副走査方向５ライン分の表面地色レベルＬＡ（Ｌ１Ａ〜Ｌ５Ａ）を保持する。なお、以下の説明では、これらをそれぞれ、第１表面地色レベルＬ１Ａ、第２表面地色レベルＬ２Ａ、第３表面地色レベルＬ３Ａ、第４表面地色レベルＬ４Ａ、および第５表面地色レベルＬ５Ａと呼ぶ。本実施の形態では、この表面地色レベルＬＡが、第１面の読み取り結果あるいは第１データとして機能する。
第２保持部９２は、第２地色レベル検知部８３にて検知された副走査方向５ライン分の裏面地色レベルＬＢ（Ｌ１Ｂ〜Ｌ５Ｂ）を保持する。なお、以下の説明では、これらをそれぞれ、第１裏面地色レベルＬ１Ｂ、第２裏面地色レベルＬ２Ｂ、第３裏面地色レベルＬ３Ｂ、第４裏面地色レベルＬ４Ｂ、および第５裏面地色レベルＬ５Ｂと呼ぶ。本実施の形態では、この裏面地色レベルＬＢが、第２面の読み取り結果あるいは第２データとして機能する。
地色レベル比較部９３は、第１保持部９１から読み出した表面地色レベルＬＡと第２保持部９２から読み出した裏面地色レベルＬＢとを、ライン毎に比較する。
最大値選択部９４は、地色レベル比較部９３による比較結果を参照しつつ、第１保持部９１から読み出した各表面地色レベルＬ１Ａ〜Ｌ５Ａおよび第２保持部９２から読み出した各裏面地色レベルＬ１Ｂ〜Ｌ５Ｂから、最大値を選択して出力する。
比較ライン設定部９５は、最大値選択部９４および後述する出力値選択部９８で比較を行う比較開始ラインおよび比較終了ラインを設定する。
オフセット値設定部９６は、画像読取装置毎に異なる原稿の地色のオフセット値を設定する。
加算部９７は、最大値選択部９４から入力される最大値とオフセット値設定部９６から読み出したオフセット値とを加算して得られる加算値を出力する。
出力値選択部９８は、比較ライン設定部９５から入力される比較開始ラインおよび比較終了ラインを参照しつつ、第１保持部９１から読み出した各表面地色レベルＬ１Ａ〜Ｌ５Ａ、第２保持部９２から読み出した各裏面地色レベルＬ１Ｂ〜Ｌ５Ｂ、あるいは加算部９７から入力される加算値を地色除去レベルとして地色除去部８６に出力する。
【００２６】
では次に、搬送読み取りモードにおける原稿１の画像読み取りおよび画像処理について、タイミングチャートを参照しつつ具体的に説明を行う。なお、ここでは、４枚の原稿１を搬送しつつ読み取る場合を例として説明する。
図４は、片面読み取りモードにおけるタイミングチャートを示している。
１枚目の原稿１が搬送路１５内に搬送されると、まず、その搬送方向先端がラインセンサ５５による読み取り位置に到達する。すると、ラインセンサ５５が、１枚目の原稿１の裏面画像の読み取りを開始する。得られた１枚目の原稿１の裏面画像データは、記憶部８１に順次記憶されていく。続いて、この１枚目の原稿１の搬送方向先端がＣＣＤイメージセンサ７８による読み取り位置に到達する。そして、ＣＣＤイメージセンサ７８が、１枚目の原稿１の表面画像の読み取りを開始する。得られた１枚目の原稿１の表面画像データは、第１地色レベル検知部８２および選択部８５に向けて出力される。なお、１枚目の原稿１の搬送方向後端がラインセンサ５５による読み取り位置を通過すると、１枚目の原稿１の裏面画像の読み取りが完了する。また、２枚目の原稿１の搬送方向後端がＣＣＤイメージセンサ７８による読み取り位置を通過すると、１枚目の原稿１の表面画像の読み取りが完了する。
【００２７】
また、ＣＣＤイメージセンサ７８により１枚目の原稿１の表面画像の読み取りが開始されるのに合わせて、第１地色レベル検知部８２は、副走査方向５ライン分の表面地色レベルＬＡ（Ｌ１Ａ〜Ｌ５Ａ）を取得する。一方、第２地色レベル検知部８３も、１枚目の原稿１の表面画像の読み取りの開始とほぼ同じタイミングで読み取りが行われた副走査方向５ライン分の裏面地色レベルＬＢ（Ｌ１Ｂ〜Ｌ５Ｂ）を取得する。そして、地色除去レベル決定部８４では、これら表面地色レベルＬＡおよび裏面地色レベルＬＢに基づいて地色除去レベルを決定し、地色除去部８６へと出力する。
地色除去部８６では、ＣＣＤイメージセンサ７８から入力されてくる表面画像データに対し、地色除去レベル決定部８４で決定された地色除去レベルを用いて地色除去を行い、出力画像データとして出力する。
以降、２枚目の原稿１、３枚目の原稿１、および４枚目の原稿１についても、同様にして画像の読み取りおよび地色除去が行われる。
なお、片面読み取りモードでは、裏面画像データを出力する必要がないので、選択部８５は、常に表面画像データを出力する側に設定されている。また、記憶部８１から裏面画像データ全体が出力されることもない。
【００２８】
一方、図５は、両面同時読み取りモードにおけるタイミングチャートを示している。
１枚目の原稿１が搬送路１５内に搬送されると、まず、その搬送方向先端がラインセンサ５５による読み取り位置に到達する。そして、ラインセンサ５５が、１枚目の原稿１の裏面画像の読み取りを開始する。続いて、この１枚目の原稿１の搬送方向先端がＣＣＤイメージセンサ７８による読み取り位置に到達する。そして、ＣＣＤイメージセンサ７８が、１枚目の原稿１の表面画像の読み取りを開始する。得られた１枚目の原稿１の表面画像データは第１地色レベル検知部８２および選択部８５に向けて出力される。なお、１枚目の原稿１の搬送方向後端がラインセンサ５５による読み取り位置を通過すると、１枚目の原稿１の裏面画像の読み取りが完了する。また、２枚目の原稿１の搬送方向後端がＣＣＤイメージセンサ７８による読み取り位置を通過すると、１枚目の原稿１の表面画像の読み取りが完了する。
【００２９】
また、ＣＣＤイメージセンサ７８により１枚目の原稿１の表面画像の読み取りが開始されるのに合わせて、第１地色レベル検知部８２は、副走査方向５ライン分の表面地色レベルＬＡ（Ｌ１Ａ〜Ｌ５Ａ）を取得する。一方、第２地色レベル検知部８３も、１枚目の原稿１の表面画像の読み取りの開始とほぼ同じタイミングで読み取りが行われた副走査方向５ライン分の裏面地色レベルＬＢ（Ｌ１Ｂ〜Ｌ５Ｂ）を取得する。そして、地色除去レベル決定部８４では、これら表面地色レベルＬＡおよび裏面地色レベルＬＢに基づいて地色除去レベルを決定し、地色除去部８６へと出力する。
【００３０】
選択部８５は、まず最初に、表面画像データを出力する側に接続される。そして、ＣＣＤイメージセンサ７８から入力されてくる表面画像データは、選択部８５を介して地色除去部８６に入力される。地色除去部８６では、入力されてくる表面画像データに対し、地色除去レベル決定部８４で決定された地色除去レベルを用いて地色除去を行い、出力画像データとして出力する。
地色除去部８６において１枚目の原稿１の表面画像データに対する処理が完了すると、選択部８５は、裏面画像データを出力する側に接続される。そして、記憶部８１から裏面画像データが出力され、選択部８５を介して地色除去部８６に入力される。地色除去部８６では、入力されてくる裏面画像データに対し、地色除去レベル決定部８４で決定された地色除去レベルを用いて地色除去を行い、出力画像データとして出力する。
以降、２枚目の原稿１、３枚目の原稿１、および４枚目の原稿１についても、同様にして画像の読み取りおよび地色除去が行われる。
【００３１】
ではここで、地色除去レベル決定部８４で実行される原稿１の地色レベル決定の処理について、具体例を挙げながら説明を行う。
図６は、読み取り対象となる原稿１の一例を示している。なお、この原稿１の表面には「Ａ」の文字が、裏面には「Ｂ」の文字が、それぞれ描かれているものとする。また、原稿１の一端部（搬送方向の先端側）にはファイリング用の複数のパンチ孔Ｐが形成されているものとする。さらに、この原稿１の地色は、白色ではなく例えば薄い灰色であるものとする。
【００３２】
本実施の形態では、上述したように、ＣＣＤイメージセンサ７８による原稿１の表面画像の読み取り開始に合わせて、表面地色レベルＬＡおよび裏面地色レベルＬＢを取得している。このため、原稿１の表面側における表面地色レベルＬＡの取得領域（第１領域あるいは第１面の一部領域に対応）は原稿１の搬送方向先端側となる。また、この原稿１の裏面側における裏面地色レベルＬＢの取得領域（第２領域あるいは第２面の一部領域に対応）は原稿１の搬送方向先端側と後端側との間となる。つまり、表面地色レベルＬＡの取得領域と裏面地色レベルＬＢの取得領域とが副走査方向にずれている（一致していない）ことになる。そして、この例では、表面地色レベルＬＡの取得領域にはパンチ孔Ｐが形成されているのに対し、裏面地色レベルＬＢの取得領域にはパンチ孔Ｐが形成されていない。なお、両取得領域の距離は、ＣＣＤイメージセンサ７８による原稿１の表面の読み取り位置とラインセンサ５５による原稿１の裏面の読み取り位置との間の距離に相当する。
【００３３】
地色除去レベル決定部８４において、第１保持部９１は、上記表面地色レベルＬＡの取得領域を読み取って得られた第１表面地色レベルＬ１Ａ、第２表面地色レベルＬ２Ａ、第３表面地色レベルＬ３Ａ、第４表面地色レベルＬ４Ａ、第５表面地色レベルＬ５Ａを保持する。また、第２保持部９２は、上記裏面地色レベルＬＢの取得領域を読み取って得られた第１裏面地色レベルＬ１Ｂ、第２裏面地色レベルＬ２Ｂ、第３裏面地色レベルＬ３Ｂ、第４裏面地色レベルＬ４Ｂ、第５裏面地色レベルＬ５Ｂを保持する。
【００３４】
次に、地色レベル比較部９３は、第１保持部９１および第２保持部９２から各地色レベルを読み出す。そして、地色レベル比較部９３は、まず、１ライン目すなわち第１表面地色レベルＬ１Ａと第１裏面地色レベルＬ１Ｂとが所定範囲内にあるか否かを比較する。ここでいう所定範囲とは、例えば両者の差が所定の値以下であること、あるいは、第１地表面地色レベルＬ１Ａに対して第１裏面地色レベルＬ１Ｂが±１０％以内であること、などである。そして、地色レベル比較部９３は、この比較結果に基づき、所定範囲である場合すなわち第１表面地色レベルＬ１Ａ≒第１裏面地色レベルＬ１Ｂとみなせる場合にはフラグとして１を立て、所定範囲にない場合にはフラグとして０を立てる。また、地色レベル比較部９３は、２ライン目すなわち第２表面地色レベルＬ２Ａと第２裏面地色レベルＬ２Ｂとの比較、３ライン目すなわち第３表面地色レベルＬ３Ａと第３裏面地色レベルＬ３Ｂとの比較、４ライン目すなわち第４表面地色レベルＬ４Ａと第４裏面地色レベルＬ４Ｂとの比較、および５ライン目すなわち第５表面地色レベルＬ５Ａと第５裏面地色レベルＬ５Ｂとの比較を順次行い、それぞれに対して１または０のフラグを立てる。なお、この例では、１〜２ライン目のフラグが０に、３〜５ライン目のフラグが１に、それぞれ設定されたものとする。そして、得られた５個のフラグは、図示しないメモリに記憶される。
【００３５】
続いて、最大値選択部９４は、第１表面地色レベルＬ１Ａ、第２表面地色レベルＬ２Ａ、第３表面地色レベルＬ３Ａ、第４表面地色レベルＬ４Ａ、第５表面地色レベルＬ５Ａ、第１裏面地色レベルＬ１Ｂ、第２裏面地色レベルＬ２Ｂ、第３裏面地色レベルＬ３Ｂ、第４裏面地色レベルＬ４Ｂ、第５裏面地色レベルＬ５Ｂの中から最大値を選択する。ただし、このとき最大値選択部９４は、比較ライン設定部９５による設定値を参照しながら最大値の選択を行う。例えば比較ライン設定部９３によって比較開始ライン＝３、比較終了ライン＝５と設定されている場合、最大値選択部９４は、３〜５ライン目の地色レベルすなわち第３表面地色レベルＬ３Ａ、第４表面地色レベルＬ４Ａ、第５表面地色レベルＬ５Ａ、第３裏面地色レベルＬ３Ｂ、第４裏面地色レベルＬ４Ｂ、第５裏面地色レベルＬ５Ｂの中から最大値を選択することになる。なお、必ず１ライン目から比較を行うように設定されている場合には、比較開始ラインを設定する必要はない。また、最大値選択部９４は、地色レベル比較部９３における比較結果に基づき、フラグが０となっているラインを除外して最大値の選択を行う。この例では、上述したように１〜２ライン目のフラグが０となっているため、３〜５ライン目の地色レベルすなわち第３表面地色レベルＬ３Ａ、第４表面地色レベルＬ４Ａ、第５表面地色レベルＬ５Ａ、第３裏面地色レベルＬ３Ｂ、第４裏面地色レベルＬ４Ｂ、第５裏面地色レベルＬ５Ｂの中から最大値を選択することになる。なお、この例では、第５裏面地色レベルＬ５Ｂが最大値として選択されたものとする。
【００３６】
また、加算部９７は、最大値選択部９４で選択された最大値すなわち第５裏面地色レベルＬ５Ｂに、オフセット値設定部９６から読み出したオフセット値とを加算する。そして、加算部９７は、このようにして得られた加算値を出力する。
【００３７】
出力値選択部９８は、比較ライン設定部９５に設定された比較開始ラインに到達するまでは、そのラインの地色レベルをそのまま出力する。例えば比較ライン設定部９５によって比較開始ライン＝２、比較終了ライン＝５と設定されている場合、表面画像データに対する地色除去処理の開始時点では１ライン目に第１表面地色レベルＬ１Ａをそのまま出力する。また、出力値選択部９８は、比較ライン設定部９５に設定された比較開始ラインに到達した後、フラグが０となっているラインについてはそのラインの地色レベルをそのまま出力する。例えば表面画像データに対する地色除去処理の開始時点ではフラグが０となっている２ライン目に第２表面地色レベルＬ２Ａをそのまま出力する。一方、３ライン目はフラグが1となっているため、出力値選択部９８は、３ライン目の第３表面地色レベルＬ３Ａおよび第３裏面地色レベルＬ３Ｂの中から最大値を選択して出力を行う。また、４ライン目もフラグが1となっているため、出力値選択部９８は、３ライン目の第３表面地色レベルＬ３Ａおよび第３裏面地色レベルＬ３Ｂ、４ライン目の第４表面地色レベルＬ４Ａおよび第４裏面地色レベルＬ４Ｂの中から最大値を選択して出力を行う。さらに、５ラン目もフラグが1となっているため、出力値選択部９８は、３ライン目の第３表面地色レベルＬ３Ａおよび第３裏面地色レベルＬ３Ｂ、４ライン目の第４表面地色レベルＬ４Ａおよび第４裏面地色レベルＬ４Ｂ、５ライン目の第５表面地色レベルＬ５Ａおよび第５裏面地色レベルＬ５Ｂの中から最大値を選択して出力を行う。そして、比較ライン設定部９５に設定された比較終了ラインを超える６ライン目以降は、５ライン目の最大値を保持しながら出力を行う。また、この原稿１の裏面画像データに対しても、５ライン目の最大値を保持しながら出力を行う。
【００３８】
本実施の形態では、原稿１の表面の地色検知および裏面の地色検知をそれぞれ行い、両検知結果に基づいて原稿１の地色を求めるようにした。このため、地色の検知精度が向上する。また、本実施の形態では、原稿１の表面の地色検知を行う領域である表面地色レベルＬＡの取得領域と裏面地色レベルＬＢの取得領域とを原稿１の表裏面でずらし、両者が表裏で重ならないようにした。これにより、例えば原稿１にパンチ孔等が形成されるような場合であっても、原稿１の地色の検知精度が向上することになる。
【００３９】
なお、本実施の形態では、表面地色レベルＬＡの取得領域を原稿１の搬送方向先端側とし、裏面地色レベルＬＢの取得領域を原稿１の搬送方向先端側および後端側の間としていたが、これに限られるものではない。
【００４０】
例えば図６（ｂ）に（１）で示すように、表面地色レベルＬＡと同様に、原稿搬送方向先端側から裏面地色レベルＬＢを取得することも可能である。なお、この場合には、図４および図５に（１）で示したように、ラインセンサ５５による原稿１の裏面画像の読み取りが開始されるのに合わせて、第２地色レベル検知部８３が、副走査方向５ライン分の裏面地色レベルＬＢを取得すればよい。この例では、表面地色レベルＬＡの取得領域と裏面地色レベルＬＢの取得領域とが表裏で重なることとなる。ただし、得られた表面地色レベルＬＡ（Ｌ１Ａ〜Ｌ５Ａ）および裏面地色レベルＬＢ（Ｌ１Ｂ〜Ｌ５Ｂ）の中に、パンチ穴を避けて読み取ったラインが存在すれば、そのラインの地色レベルは実際に近い値となる。このため、この場合においても、原稿１の地色の検知精度はある程度向上することになる。
【００４１】
一方、例えば図６（ｂ）に（２）で示すように、表面地色レベルＬＡとは逆に、原稿搬送方向後端側から裏面地色レベルＬＢを取得することも可能である。なお、この場合には、図４および図５に（２）で示したように、ラインセンサ５５による原稿１の裏面画像の読み取りが完了する直前のタイミングで、第２地色レベル検知部８３が、副走査方向５ライン分の裏面地色レベルＬＢを取得すればよい。すると、この場合には、表面地色レベルＬＡの取得領域と裏面地色レベルＬＢの取得領域とが副走査方向に大きくずれることになる。裏面地色レベルＬＢを原稿１の搬送方向先端側と後端側との間で取得した場合、例えばこの領域に写真画像などの高濃度画像が形成されていると、高濃度画像によって地色のレベルを誤検知してしまうおそれがある。これに対し、裏面地色レベルＬＢを原稿１の搬送方向後端側で取得する場合には、この領域には画像が形成されていないことが多いことから、このような誤検知を抑制することが可能になる。
【００４２】
＜実施の形態２＞
実施の形態１では、原稿１の一度の搬送でこの原稿の両面に形成された画像を読み取れるように構成した画像読み取り装置について説明を行った。これに対し、本実施の形態では、原稿１を反転搬送することによって原稿１の両面に形成された画像を読み取るようにしたものである。なお、本実施の形態において、実施の形態１と同様のものについては、同じ符号を付してその詳細な説明を省略する。
【００４３】
図７は、本実施の形態が適用される画像読み取り装置の全体構成を示す図である。この画像読み取り装置は、積載された原稿束から原稿１を順次搬送する原稿送り装置１１０と、スキャンによって画像を読み込むスキャナ装置１５０とを備えている。
【００４４】
原稿送り装置１１０は、複数枚の原稿１からなる原稿束を積載する原稿収容部１１１、この原稿収容部１１１の下方に設けられ、読み取りが終了した原稿１を積載する排紙収容部１１２を備える。また、原稿送り装置１１０は原稿収容部１１１の原稿１を取り出して搬送する繰出しロール１１３を備える。さらに、繰出しロール１１３の原稿搬送方向下流側には、フィードロールおよびリタードロールによって原稿１を１枚ずつに捌く捌き機構１１４が設けられる。原稿１が搬送される第１搬送路１３１には、原稿搬送方向上流側から順に、プレレジロール１１５、レジロール１１６、搬送ロール１１７、およびアウトロール１１８が設けられる。プレレジロール１１５は、１枚ずつに捌かれた原稿１を下流側のロールに向けて搬送すると共に原稿１のループ形成を行う。レジロール１１６は、回転し一旦停止した後にタイミングを合わせて回転を再開し、後述する原稿読み取り部に対してレジストレーション調整を施しながら原稿１を供給する。搬送ロール１１７は、スキャナ装置１５０にて読み込み中の原稿搬送をアシストする。アウトロール１１８は、スキャナ装置１５０にて読み込まれた原稿１をさらに下流に搬送する。
また、アウトロール１１８よりも原稿搬送方向下流側には、原稿１を排紙トレイ１１２に導くための第２搬送路１３２が設けられる。この第２搬送路１３２には、排出ロール１１９が配設される。
【００４５】
さらに、この画像読み取り装置では、原稿１の両面に形成された画像を１プロセスで読み取ることができるよう、アウトロール１１８の出口側とプレレジロール１１５の入口側との間に第３搬送路１３３が設けられている。なお、上述した排出ロール１１９は、原稿１を第３搬送路１３３に反転搬送する機能も有している。
さらにまた、この画像読み取り装置には、原稿１の両面読み取りを行った際に、その排出時に原稿１を再度反転させて排紙収容部１１２に排出するための第４搬送路１３４が設けられている。この第４搬送路１３４は、第２搬送路１３２の上部側に設けられている。そして、上述した排出ロール１１９は、原稿１を第４搬送路１３４に反転搬送する機能も有している。
【００４６】
一方、スキャナ装置１５０は、上述した原稿送り装置１１０を開閉可能に支持すると共に、この原稿送り装置１１０を装置フレーム１５１によって支え、また、原稿送り装置１１０によって搬送される原稿１の画像読み取りを行っている。このスキャナ装置１５０は、筐体を形成する装置フレーム１５１、画像を読み込むべき原稿１を静止させた状態で載置する第１プラテンガラス１５２Ａ、原稿送り装置１１０によって搬送される原稿１を読み取るための光の開口部を有する第２プラテンガラス１５２Ｂを備えている。
【００４７】
また、スキャナ装置１５０は、第２プラテンガラス１５２Ｂの下に静止し、あるいは第１プラテンガラス１５２Ａの全体にわたってスキャンして画像を読み込むフルレートキャリッジ１５３、フルレートキャリッジ１５３から得られた光を結像部へ供給するハーフレートキャリッジ１５４を備えている。フルレートキャリッジ１５３には、原稿に光を照射する照明ランプ１５５、照明ランプ１５５の照射光を原稿面に向けて反射する反射ミラー１５６、および原稿１から得られた反射光を受光する第１ミラー１５７Ａが設けられている。さらに、ハーフレートキャリッジ１５４には、第１ミラー１５７Ａから得られた光を結像部へ提供する第２ミラー１５７Ｂおよび第３ミラー１５７Ｃが設けられている。さらにまた、スキャナ装置１５０は、結像用レンズ１５８およびＣＣＤ(Charge Coupled Device)イメージセンサ１５９を備えている。これらのうち、結像用レンズ１５８は、第３ミラー１５７Ｃから得られた光学像を光学的に縮小する。また、ＣＣＤイメージセンサ１５９は、結像用レンズ１５８によって結像された光学像を光電変換する。つまり、スキャナ装置１５０では、所謂縮小光学系を用いてＣＣＤイメージセンサ１５９に像を結像させている。
【００４８】
そして、スキャナ装置１５０は、制御部１６０と画像処理部１７０とをさらに備える。制御部１６０は、画像読み取り動作における各部の動作を制御する。画像処理部１７０は、読み取られた画像データの処理を行う。これらの機能はプログラムにより制御されたＣＰＵ等によって実現される。制御部１６０は、上述した原稿送り装置１１０およびスキャナ装置１５０の動作の制御を行う。制御部１６０は、原稿送り装置１１０におけるモータの制御、各種ロール動作、フィードクラッチの動作等を制御する。また、制御部１６０は、ラインセンサ５５による画像データの取り込み動作やＣＣＤイメージセンサ７８による画像データの取り込み動作等を制御する。画像処理部１７０は、ＣＣＤイメージセンサ７８およびラインセンサ５５によって読み取った原稿１の画像データを受け取り、出力対象となる後段の機器へと出力する。
【００４９】
では、この画像読み取り装置を用いた原稿の読み取り動作について説明する。この画像読み取り装置では、第１プラテンガラス１５２Ａに載置された原稿１を読み取る固定読み取りモード、および、原稿送り装置１１０にて搬送される原稿１を読み取る搬送読み取りモードで動作する。
【００５０】
ではまず、固定読み取りモードにおける原稿１の画像読み取りについて説明する。
第１プラテンガラス１５２Ａに載置された原稿１の画像を読み取る場合には、フルレートキャリッジ１５３とハーフレートキャリッジ１５４とが、２：１の割合でスキャン方向(矢印方向)に移動する。このとき、フルレートキャリッジ１５３の照明ランプ１５５の光が原稿１の被読み取り面に照射される。そして、原稿１からの反射光が第１ミラー１５７Ａ、第２ミラー１５７Ｂ、および第３ミラー１５７Ｃの順に反射されて結像用レンズ１５８に導かれる。結像用レンズ１５８に導かれた光は、ＣＣＤイメージセンサ１５９に結像される。ＣＣＤイメージセンタ１５９は１次元のセンサであり、１ライン分を同時に処理している。このライン方向(スキャンの副走査方向)にフルレートキャリッジ１５３およびハーフレートキャリッジ１５４を移動させ、原稿１の次のラインを読み取る。これを原稿全体に亘って実行することで、１ページの原稿読み取りが完了する。
【００５１】
次に、搬送読み取りモードにおける原稿１の画像読み取りについて説明する。
例えば片面読み取りモードでは、搬送される原稿１が、第２プラテンガラス１５２Ｂの上を通過する。このとき、フルレートキャリッジ１５３およびハーフレートキャリッジ１５４は、図７に示す実線の位置に停止した状態におかれる。そして、原稿送り装置１１０の搬送ロール１１７を経た原稿の１ライン目の反射光が、第１ミラー１５７Ａ、第２ミラー１５７Ｂ、および第３ミラー１５７Ｃを経て結像用レンズ１５８にて結像され、ＣＣＤイメージセンサ１５９によって画像が読み込まれる。そして、１次元のセンサであるＣＣＤイメージセンサ１５９によって主走査方向の１ライン分を同時に処理した後、原稿送り装置１１０によって搬送される原稿の次の主走査方向の１ラインが読み込まれる。原稿の先端が第２プラテンガラス１５２Ｂの読み取り位置に到達した後、この原稿の後端が第２プラテンガラス１５２Ｂの読み取り位置を通過することによって、副走査方向に亘って１ページの原稿読み取りが完了する。
また、両面読み取りモードでは、このようにして原稿１の一方の面（表面）の読み取りを完了した原稿１が、第２搬送路１３２および第３搬送路１３３を介して反転搬送され、１回目とは表裏が反転した状態で、再びプラテンガラス１５２Ｂの上を通過する。そして、同様の手順で、ＣＣＤイメージセンサ１５９によって原稿１の裏面の画像が読み取られる。裏面の画像読み取りが完了した原稿１は、第２搬送路１３２および第４搬送路１３４を介して再び反転され、排紙収容部１１２に排出される。
【００５２】
本実施の形態における画像読み取り装置も、実施の形態１と同様に、原稿の背景色すなわち地色が白色以外であった場合に、原稿を読み取ることによって得られた画像データから原稿の地色成分を除去する構成を備えている。そして、この画像読み取り装置では、搬送読み取りモードで動作を行う際に、読み取り対象となる原稿の一方の面の画像データおよびこの一方の面の裏側となる原稿の他方の面の画像データに基づいて、この原稿の地色の決定を行っている。以下、この処理について詳細に説明する。
【００５３】
図８は、画像処理部１７０の構成の一部を示している。この画像処理部１７０は、第１記憶部１７１、第２記憶部１７２、第１地色レベル検知部１７３、第２地色レベル検知部１７４、地色除去レベル決定部１７５、選択部１７６、および地色除去部１７７を備える。
第１記憶部１７１は、ＣＣＤイメージセンサ１５９によって読み取られた原稿１の表面画像データを一時的に記憶する。
第２記憶部１７２は、ＣＣＤイメージセンサ１５９によって読み取られた原稿１の裏面画像データを一時的に記憶する。
第１地色レベル検知部１７３は、第１記憶部１７１から読み出した原稿１の表面画像データに基づき、原稿１の表面地色レベルを検知する。
第２地色レベル検知部１７４は、第２記憶部１７２から読み出した原稿１の裏面画像データに基づき、原稿１の裏面地色レベルを検知する。
地色除去レベル決定部１７５は、第１地色レベル検知部１７３で検知された表面地色レベルおよび第２地色レベル検知部１７４で検知された裏面地色レベルの両者に基づき、原稿１の地色レベルを決定する。
選択部１７６は、第１記憶部１７１に記憶される表面画像データあるいは第２記憶部１７２に記憶される裏面画像データを、地色除去部１７７に向けて選択的に出力する。
地色除去部１７７は、選択部１７６から入力されてくる表面画像データあるいは裏面画像データに、地色除去レベル決定部１７５で決定された原稿１の地色レベルを用いて地色除去処理を施し、出力画像データとして後段に出力する。なお、地色除去レベル決定部１７５の構成は、実施の形態１における地色除去レベル決定部８４（図３参照）と同じであるため、説明を省略する。
【００５４】
では次に、両面読み取りモードにおける原稿１の画像読み取りおよび画像処理について、図９に示すタイミングチャートを参照しつつ具体的に説明を行う。なお、ここでは、２枚の原稿１を搬送しつつ読み取る場合を例として説明する。
１枚目の原稿１が第１搬送路１３１内に搬送されると、まず、その搬送方向先端がＣＣＤイメージセンサ１５９による読み取り位置に到達する。すると、ＣＣＤイメージセンサ１５９が１枚目の原稿１の表面画像の読み取りを開始する。得られた１枚目の原稿１の表面画像データは、第１記憶部１７１に順次記憶されていく。続いて、１枚目の原稿１の搬送方向中央部が読み取り位置に到達するタイミングで、第１地色レベル検知部１７３は、副走査方向５ライン分の表面地色レベルＬＡ（Ｌ１Ａ〜Ｌ５Ａ）を取得する。そして、１枚目の原稿１の搬送方向後端が読み取り位置を通過すると、１枚目の原稿１の表面画像の読み取りが完了する。次いで、１枚目の原稿１は、第２搬送路１３２および第３搬送路１３３を介して表裏が反転され、再び第１搬送路内に搬送される。
【００５５】
１枚目の原稿１が第１搬送路１３１内に再搬送されると、その搬送方向先端がＣＣＤイメージセンサ１５９による読み取り位置に到達する。すると、ＣＣＤイメージセンサ１５９が１枚目の原稿１の裏面画像の読み取りを開始する。得られた１枚目の原稿１の裏面画像データは、第２記憶部１７２に順次記憶されていく。また、ＣＣＤイメージセンサ１５９により１枚目の原稿１の裏面画像読み取りが開始されるに伴い、第２地色レベル検知部１７４は、副走査方向５ライン分の裏面地色レベルＬＢ（Ｌ１Ｂ〜Ｌ５Ｂ）を取得する。そして、１枚目の原稿１の搬送方向後端が読み取り位置を通過すると、１枚目の裏面画像の読み取りが完了する。そして、１枚目の原稿１は、第２搬送路１３２および第４搬送路１３４を介して排出される。
【００５６】
一方、第２地色レベル検知部１７４で裏面地色レベルＬＢが取得されるのに伴い、地色除去レベル決定部１７５では、すでに取得済みの表面地色レベルＬＡおよびここで取得された裏面地色レベルＬＢに基づいて地色除去レベルを決定し、地色除去部１７７へと出力する。
【００５７】
また、地色除去レベル決定部１７５で地色除去レベルが決定されるのに伴い、選択部１７６は、まず、第１記憶部１７１に記憶される表面画像データを読み出して地色除去部１７７に向けて出力する。そして、地色除去部１７７では、入力されてくる表面画像データに対し、地色除去レベル決定部１７５で決定された地色除去レベルを用いて地色除去を行い、出力画像データとして出力する。その後、地色除去部１７７で表面画像データに対する処理が完了すると、選択部１７６は、次に、第２記憶部１７２に記憶される裏面画像データを読み出して地色除去部１７７に向けて出力する。そして、地色除去部１７７では、入力されてくる裏面画像データに対し、地色除去レベル決定部１７５で決定された地色除去レベルを用いて地色除去処理を行い、出力画像データとして出力する。以降、２枚目の原稿１についても、同様にして画像の読み取りおよび地色の除去が行われる。なお、地色除去レベルの決定は、実施の形態１と同様のプロセスで行われる。
【００５８】
本実施の形態では、原稿１の表面の地色検知および裏面の地色検知をそれぞれ行い、両検知結果に基づいて原稿１の地色を求めるようにした。このため、地色の検知精度が向上することになる。また、本実施の形態では、原稿１の表面については搬送方向中央部から表面地色レベルＬＡを取得し、同じ原稿１の裏面については搬送方向先端部から裏面地色レベルＬＢを取得するようにした。つまり、実施の形態１と同様に、表面地色レベルＬＡの取得領域と裏面地色レベルＬＢの取得領域とを副走査方向にずらすようにした。このため、さらに原稿１の地色の検知精度が向上することになる。
【００５９】
なお、本実施の形態では、表面地色レベルＬＡの取得領域を原稿１の搬送方向先端側および後端側の間とし、裏面地色レベルＬＢの取得領域を原稿１の搬送方向先端側としていたが、これに限られるものではない。
【００６０】
例えば、表面地色レベルＬＡの取得領域を原稿１の搬送方向先端側とすることができる。なお、この場合には、図９に（１）で示したように、ＣＣＤイメージセンサ１５９による原稿１の表面画像の読み取りが開始されるのに合わせて、第１地色レベル検知部１７３が、副走査方向５ライン分の表面地色レベルＬＡを取得すればよい。
【００６１】
一方、表面地色レベルＬＡの取得領域を原稿１の搬送方向後端側とすることもできる。なお、この場合には、図９に（２）で示したように、ＣＣＤイメージセンサ１５９による原稿１の表面画像の読み取りが完了する直前のタイミングで、第１地色レベル検知部１７３が、副走査方向５ライン分の表面地色レベルＬＡを取得すればよい。
【図面の簡単な説明】
【００６２】
【図１】実施の形態１が適用される画像読み取り装置の全体構成を示す図である。
【図２】実施の形態１における画像処理部の構成の一部を説明するための図である。
【図３】地色除去レベル決定部の詳細なブロック図である。
【図４】片面読み取りモードにおけるタイミングチャートである。
【図５】両面同時読み取りモードにおけるタイミングチャートである。
【図６】読み取り対象となる原稿の一例を示す図である。
【図７】実施の形態２が適用される画像読み取り装置の全体構成を示す図である。
【図８】実施の形態２における画像処理部の構成の一部を説明するための図である。
【図９】両面読み取りモードにおけるタイミングチャートである。
【符号の説明】
【００６３】
１…原稿、１０…原稿送り装置、５０…ＣＩＳ（Contact Image Sensor）、５５…ラインセンサ、７０…スキャナ装置、７８…ＣＣＤ(Charge Coupled Device)イメージセンサ、７９…制御部、８０…画像処理部、８１…記憶部、８２…第１地色レベル検知部、８３…第２地色レベル検知部、８４…地色除去レベル決定部、８５…選択部、８６…地色除去部、１１０…原稿送り装置、１５０…スキャナ装置、１５９…ＣＣＤイメージセンサ、１６０…制御部、１７０…画像処理部、１７１…第１記憶部、１７２…第２記憶部、１７３…第１地色レベル検知部、１７４…第２地色レベル検知部、１７５…地色除去レベル決定部、１７６…選択部、１７７…地色除去部
【図１】
2008252785.tif 000003
【図２】
2008252785.tif 000004
【図３】
2008252785.tif 000005
【図４】
2008252785.tif 000006
【図５】
2008252785.tif 000007
【図６】
2008252785.tif 000008
【図７】
2008252785.tif 000009
【図８】
2008252785.tif 000010
【図９】
2008252785.tif 000011